(57)【特許請求の範囲】
【請求項１】
箱体内に取着される取付板と、絶縁材料で形成され取付板に取着されるバー支持部材と、バー支持部材に設けた載置片に重ねて配置される導電バーと、導電バーの延長方向に並設され導電バーに電気的に接続される複数個の開閉器とを備え、電流容量に応じて狭幅の第１導電バーと広幅の第２導電バーとを前記導電バーとして前記載置片に選択的に取着可能とした住宅用分電盤であって、前記載置片において導電バーの短手方向の一端縁に形成された壁部との間に第１導電バーを保持するように前記載置片の幅方向の中間部に立設された係止部と、前記壁部との間に第２導電バーを保持するように前記載置片の幅方向の他端縁に立設された立設壁とを備え、係止部には第１導電バーの幅方向の一端部を前記載置片との間で保持する第１の引掛爪を設け、立設壁には第２導電バーの幅方向の一端部を前記載置片との間で保持する第２の引掛爪を設けたことを特徴とする住宅用分電盤。
【請求項２】
前記壁部には第１導電バーまたは第２導電バーの幅方向の他端部を前記載置片との間で保持する第３の引掛爪を設けたことを特徴とする請求項１記載の住宅用分電盤。
【請求項３】
前記バー支持部材が合成樹脂成形品であって、前記引掛爪のアンダカット部が前記載置片に形成される透孔を通して成形され、前記載置片における前記透孔の周囲であって前記導電バーが重なる面に対する反対面側には前記取付板に挿入されるボス部が突設されていることを特徴とする請求項１または請求項２記載の住宅用分電盤。
【請求項４】
前記導電バーの厚み方向において前記載置片の反対側において導電バーとの間に隙間を形成するように配置され導電バーの少なくとも一部と前記係止部とを覆うとともに前記開閉器が載置される取付ベースを設け、取付ベースに引掛部を設けるとともに引掛部が引掛係止されることにより取付ベースを固定する被引掛部を前記取付板に設けていることを特徴とする請求項１記載の住宅用分電盤。
【発明の詳細な説明】
【０００１】
【発明の属する技術分野】
本発明は、一般家庭用の住宅用分電盤に関する。
【０００２】
【従来の技術】
この種の分電盤としては、特開平６−１５３３３９号公報に記載されたものが知られている。この公報に記載された分電盤は、図１２に示すように、絶縁材料により形成されたバー支持部材１００’に設けた載置片１０４’に導電バー１１０ｂ’，１１０ｃ’を載置し、載置片１０４’に設けた位置決め突起１０８’を導電バー１１０ｂ’，１１０ｃ’に設けた挿通孔１１５’に圧入することによって導電バー１１０ｂ’，１１０ｃ’をバー支持部材１００’に固定する構成を採用している。この構成では載置片１０４’に取付可能な導電バー１１０ｂ’，１１０ｃ’の幅は１種類だけになっている。したがって、導電バー１１０ｂ’，１１０ｃ’の電流容量を変更しようとすれば、導電バー１１０ｂ’，１１０ｃ’の厚み寸法を変更しなければならない。
【０００３】
【発明が解決しようとする課題】
しかしながら、電流容量に応じて導電バー１１０ｂ’，１１０ｃ’の厚み寸法を変化させたとしても断面積の変化に対する表面積の変化の割合が小さく、発熱量の増加に応じて放熱面積を増加させることができないという問題がある。つまり、電流容量を増加させたときに放熱効率を十分に高めることができず、導電バー１１０ｂ’，１１０ｃ’の温度が上昇するという問題がある。
【０００４】
本発明は上記事由に鑑みて為されたものであり、その目的は、電流容量に応じて断面積の異なる導電バーを用いることを可能とし、かつ電流容量が大きいときには表面積を大きくして放熱効率を高めることができるようにした住宅用分電盤を提供することにある。
【０００５】
【課題を解決するための手段】
請求項１の発明は、箱体内に取着される取付板と、絶縁材料で形成され取付板に取着されるバー支持部材と、バー支持部材に設けた載置片に重ねて配置される導電バーと、導電バーの延長方向に並設され導電バーに電気的に接続される複数個の開閉器とを備え、電流容量に応じて狭幅の第１導電バーと広幅の第２導電バーとを前記導電バーとして前記載置片に選択的に取着可能とした住宅用分電盤であって、前記載置片において導電バーの短手方向の一端縁に形成された壁部との間に第１導電バーを保持するように前記載置片の幅方向の中間部に立設された係止部と、前記壁部との間に第２導電バーを保持するように前記載置片の幅方向の他端縁に立設された立設壁とを備え、係止部には第１導電バーの幅方向の一端部を前記載置片との間で保持する第１の引掛爪を設け、立設壁には第２導電バーの幅方向の一端部を前記載置片との間で保持する第２の引掛爪を設けたものである。
【０００６】
請求項２の発明は、請求項１の発明は、前記壁部には第１導電バーまたは第２導電バーの幅方向の他端部を前記載置片との間で保持する第３の引掛爪を設けたものである。
【０００７】
請求項３の発明は、請求項１または請求項２の発明において、前記バー支持部材が合成樹脂成形品であって、前記引掛爪のアンダカット部が前記載置片に形成される透孔を通して成形され、前記載置片における前記透孔の周囲であって前記導電バーが重なる面に対する反対面側には前記取付板に挿入されるボス部が突設されているものである。
【０００８】
請求項４の発明は、請求項１の発明において、前記導電バーの厚み方向において前記載置片の反対側において導電バーとの間に隙間を形成するように配置され導電バーの少なくとも一部と前記係止部とを覆うとともに前記開閉器が載置される取付ベースを設け、取付ベースに引掛部を設けるとともに引掛部が引掛係止されることにより取付ベースを固定する被引掛部を前記取付板に設けているものである。
【０００９】
【発明の実施の形態】
本実施形態は、図２および図３に示すように、１つの主幹回路遮断器３１と開閉器としての複数の分岐回路遮断器３２とを箱体１の中に配置した分電盤であって、分岐回路遮断器３２は複数設けられ上下２列で並設してある。箱体１は合成樹脂成形品であって、矩形枠状のボディ１０と、ボディ１０の前面側（図２における右下向き面側）に結合されるカバー２０とで構成される。
【００１０】
ボディ１０は矩形枠状に形成された底板１１の外周縁の全周に亘って周壁１２が前方に突設された形状に形成され、底板１１の中央部には矩形状に開口した開口窓１３が形成される。底板１１には左右２個ずつの支持台１４ａ，１４ｂが突設されている。両支持台１４ａ，１４ｂの周囲にはそれぞれ断面Ｌ字状であって矩形領域の角部をなすように配列されたガイド壁１５ａ，１５ｂが形成される。上側の支持台１４ａには下方に隣接して底板１１からの突出寸法が支持台１４ａよりもやや大きい抜止ボス１６が形成される。また、下側の支持台１４ｂの周囲に設けたガイド壁１５ａの前端面には下半分程度の受け片１７が連続一体に形成されている。ここに、底片１１から受け片１７までの距離は底片１１から支持台１４ｂの先端面までの距離よりもやや大きく設定されている。
【００１１】
底板１１における開口窓１３の周縁は全周に亘って前方に突出する補強突条１８を形成しており、補強突条１８により開口窓１３の周部が補強されている。つまり、比較的大面積である開口窓１３を形成しながらも、補強突条１８により剛性を保つことができる。さらに、底板１１のうち開口窓１３の上下の周縁には、左右方向に多数個の通し孔１９が等ピッチで形成される。
【００１２】
カバー２０は後端部外周面がボディ１０の周壁１２の前端部外周面にほぼ一致する保持枠２１を備え、保持枠２１には矩形状の露出窓２２が形成される。カバー２０の後面には露出窓２２を覆う形で中蓋２３が取り付けられる。中蓋２３はボディ１０に収納される主幹回路遮断器３１や分岐回路遮断器３２などの内器の一部を露出させる窓孔２４を有している。カバー２０には露出窓２２を覆う位置と露出窓２２を開放する位置との間で開閉自在となるように軸着された蓋体２５を備える。カバー２０の周壁外側面には上部を残して段差部２６が形成され、段差部２６より前側は内側に落ち込んでいる。蓋体２５は露出窓２２を覆う位置においてカバー２０の周壁外側面のうち段差部２６よりも前側の部位に重複するように形成され、露出窓２２を覆う状態ではカバー２０の外周面と蓋体２５の周壁外側面とがほぼ面一になる。また、蓋体２５が閉じた状態で簡単に開かないように、蓋体２５において軸部から遠い一端部の内側面にはロック突起２７（図３参照）が突設され、カバー２０の下端部にはロック突起２７を受けるキャッチ２８が設けられている。この種のキャッチ２８は周知の機構であって、ロック突起２７が挿入されるとロック突起２７が抜けないようにロックし、ロック突起２７をキャッチ２８を押し込んで離すとロック突起２７のロック状態が解除されるように構成されている。また、カバー２０の周壁外側面の下部であって蓋体２５が閉じたときに蓋体２５の周壁が重なる部位には、蓋体２５の周壁に当接する突部２９が形成されている。この突部２９は蓋体２５の周壁内側面に当接して蓋体２５が閉じたときの変形を防止し、またロック突起２７を解除する際に蓋体２５を押し込むための隙間を確保する。
【００１３】
ところで、ボディ１０に形成した左右の支持台１４ａ，１４ｂには、図４に示すように、主幹回路遮断器３１や分岐回路遮断器３２などの内器を取り付けるための架台４０が架設される。架台４０は主幹回路遮断器３１を取り付ける部材と、分岐回路遮断器３２を取り付ける部材と、他の内器（後述する）を取り付ける部材とを連結して構成される。架台４０は全体としては矩形状の平面形状をなし、四隅にそれぞれ設けた支持片４１ａ，４１ｂが支持台１４ａ，１４ｂに載置されるとともに、支持台１４ａ，１４ｂに螺入される取付ねじ４２を用いてボディ１０に固定される。ここに、各支持片４１ａ，４１ｂには取付ねじ４２の頭部の直径よりも大きい丸孔状の大径部の上縁の一部に取付ねじ４２の直径よりも幅狭の溝部が連続する鍵穴状に形成された取付孔４３が形成されている。したがって、取付ねじ４２を支持台１４ａ，１４ｂに緩く螺入した状態で、取付ねじ４２の頭部に取付孔４３の大径部を通し、取付ねじ４２の頭部を溝部に対応する部位までスライドさせた後に取付ねじ４２を締め付けるようにすることによって、ボディ１０への架台４０の取付作業を容易に行うことができる。また、上述したように支持台１４ａ，１４ｂの周囲にはガイド壁１５ａ，１５ｂが形成されているから、架台４０の取付位置をガイド壁１５ａ，１５ｂに合わせることで位置決めが容易にでき、その上、下側のガイド壁１５ｂには受け片１７が形成されているから、支持片４１ａ，４１ｂの一部を受け片１７の後面側に重複させることで、取付ねじ４２が外れても受け片１７で架台４０の荷重を受けることができる。さらに、取付孔４３の溝部に取付ねじ４２を挿入した状態では、取付孔４３の大径部に抜止ボス１６が挿入されるように抜止ボス１６の位置が設定されており、取付ねじ４２を締め付けた後には、支持片４１ａ，４１ｂはボディ１０に対して回り止めされることになる。また、抜止ボス１６が取付孔４３の大径部に挿入されることによって、取付ねじ４２が多少緩んでも支持片４１ａ，４１ｂのがたつきが禁止される。たとえば、地震などの外部振動によって取付ねじ４２に経年的な緩みが多少生じたとしても、ボディ１０に対して架台４０が移動したり脱落したりするのを防止することができる。
【００１４】
架台４０を構成する部材のうち主幹回路遮断器３１を取り付ける部材としての主幹用取付板５０は、図４および図５に示すように、ボディ１０に形成した開口窓１３の上下の幅寸法よりも上下の幅寸法が小さい縦長の長方形状に板金（鉄板）により形成されている。主幹用取付板５０の長手方向に沿った左側縁には上下一対の支持片４１ａが突設され、右側縁には上下一対の連結片５１が突設される。連結片５１は断面コ字状であり、支持片４１ａと同様の鍵穴状の連結孔５２が形成されている。
【００１５】
主幹用取付板５０の左側部には２個の連結孔５５が形成されている。本実施形態では、主幹回路遮断器３１が遮断された状態でも火災報知器などへの電源を確保することができるように、主幹回路遮断器３１の電源側から電源を得る自立電源系を設けてあり、自立電源系には分岐回路遮断器３２とは別に内器としての自立回路遮断器３３が挿入される。自立回路遮断器３３は分岐回路遮断器３２と同構成を有するものであり、電源側には導電バー（後述する）が挿入接続されるスリット状の３つの端子部３４ａ〜３４ｃが設けられる。自立回路遮断器３３においては中央の端子部３４ｂには導電バーを接続する部材が設けられておらず、端子部３４ａ，３４ｃのみが有効に利用される。また、自立回路遮断器３３の器体には長手方向の一端面に取付溝３５が形成されている。
【００１６】
自立回路遮断器３３をボディ１０に取り付ける部材としては、補助取付板６０が用いられる。補助取付板６０は矩形状に形成され右側縁に段差部６１を介して２枚の連結片６２が延設されている。各連結片６２には連結孔６３が形成され、連結孔６３を通して主幹用取付板５０に設けた連結孔５５に連結ねじ６４を螺入すると、主幹用取付板５０に補助取付板６０を連結することができる。
【００１７】
ここで、段差部６１を設けていることによって主幹回路遮断器３１と自立回路遮断器３３との高さの近いを吸収して、主幹回路遮断器３１においてハンドル３１ａが形成されている面と、自立回路遮断器３３においてハンドル３３ａが形成されている面とをほぼ同一面上に揃えることができる。
【００１８】
補助取付板６０は自立回路遮断器３３の左右幅にほぼ等しい左右幅を有し、自立回路遮断器３３を補助取付板６０の前面側に載せたときに自立回路遮断器３３の左右両側面に当接する支持片６７を左右両側縁に一体に備える。また、補助取付板６０の長手方向の一端縁（下端縁）には自立回路遮断器３３の取付溝３５に挿入される取付係止片６５が一体に設けられている。補助取付板６０の長手方向の他端部（上端部）には中継端子台７０を取り付けるための固定孔６６が形成されている。
【００１９】
中継端子台７０は、自立回路遮断器３３の端子部３４ａ〜３４ｃに挿入接続される３本のバー端子７１ａ〜７１ｃが合成樹脂成形品の基台７２に突設されるとともに、各バー端子７１ａ〜７１ｃに電気的に接続された端子ねじ付きの端子７３とを備えるものである。ここで、バー端子７１ａ，７１ｂは電気的に接続されている。したがって、端子７３は２端子になっており、各端子７３は接続電線７４（図４参照）を介して主幹回路遮断器３１の電源側における一方の電圧極と中性極との各端子にそれぞれ接続される。つまり、中継端子台７０は、主幹回路遮断器３１に接続された接続電線７４という電路の形状から自立回路遮断器３３の端子部３４ａ〜３４ｃに対応するバー端子７１ａ〜７１ｃという電路の形状に変換する機能を有する。また、基台７２には補助取付板３３の固定孔６６に対応する貫通孔７５が形成され、貫通孔７５を通して挿入される固定ねじ７６を固定孔６６に螺合させることによって、中継端子台７０を補助取付板６０に固定することができる。
【００２０】
しかして、補助取付板６０に設けた取付係止片６５を自立回路遮断器３３に設けた取付溝３５に挿入する形で自立回路遮断器３３を左右の支持片６７間に配置した後、端子部３４ａ〜３４ｃにバー端子７１ａ〜７１ｃを挿入接続した状態で中継端子台７０を固定ねじ７６によって補助取付板６０に固定すると、自立回路遮断器３３は補助取付板６０と中継端子台７０とによって保持され、補助取付板６０に対して固定することができる。自立回路遮断器３３では端子部３４ａ，３４ｃだけがバー端子７１ａ，７１ｃに電気的に接続されるから、自立回路遮断器３３には一方の電圧極と中性極との間の電圧が印加される。
【００２１】
ところで、架台４０において分岐回路遮断器３２を取り付ける部材としては、図６のような上下一対のフレーム８０ａ、８０ｂと、両フレーム８０ａ．８０ｂ間に架設される取付板９０とを備える。フレーム８０ａ，８０ｂと取付板３２とはともに板金（鉄板）により形成される。各フレーム８０ａ，８０ｂの大部分は前方に開放された断面コ字状に形成されているが、長手方向の一端部においては下端側の脚片が省略されて断面Ｌ字状に形成されている。このＬ字状部分が架台４０の支持片４１ｂとなり、支持片４１ｂには上述したように鍵穴状の取付孔４３が形成される。
【００２２】
両フレーム８０ａ，８０ｂの長手方向の他端部には連結ねじ８１が螺合する連結ねじ孔８２が形成され、連結ねじ孔８２の近傍には主幹用取付板５０の連結片５１に設けた連結孔５２の大径部に挿入される連結突起８３が打ち出されている。つまり、連結孔５２を通して連結ねじ８１を連結ねじ孔８２に螺合させた状態で、連結孔５２の大径部に連結突起８３を嵌合させることが可能になっている。また、連結片５１はフレーム８０ａ，８０ｂの端部の内側に重ねて結合される。したがって、主幹用取付板５０と両フレーム８０ａ，８０ｂとを連結する際には、フレーム８０ａ，８０ｂに連結ねじ８１を緩く螺合させた状態で、主幹用取付板５０に設けた連結孔５２の大径部に連結ねじ８１の頭部を通し、連結孔５２の溝部に連結ねじ８１が導入されるように、主幹用取付板５０とフレーム８０ａ，８０ｂとを互いにスライドさせて連結片５１をフレーム８０ａ，８０ｂの端部内に落とし込んで連結突起８３を連結孔５２の大径部に挿入し、その後、連結ねじ８１を締め付ければ主幹用取付板５０とフレーム８０ａ，８０ｂとを結合することができる。ここで、連結ねじ８１の頭部の直径が連結孔５２の大径部の直径よりも小さく、溝部の幅よりも大きいことは言うまでもない。この構成によって、連結ねじ８１が多少緩んでも主幹用取付板５０とフレーム８０ａ，８０ｂとが外れることがない。フレーム８０ａ，８０ｂには長手方向に６個のねじ受け孔８４が等ピッチで形成されている。ねじ受け孔８４の周部は前方に打ち出されてねじ受け台８５を形成する。
【００２３】
上述した取付板９０はねじ受け孔８４に螺合する取付ねじ９１によってフレーム８０ａ，８０ｂに結合される。本実施形態においては２枚の取付板９０を取付可能なフレーム８０ａ，８０ｂを示してあり、各取付板９０は４本ずつの取付ねじ９１を用いてフレーム８０ａ，８０ｂに結合される。取付板９０は矩形状の主片９２の上下両縁にそれぞれ段差部９３を介して取付片９４を設けた形状に形成されている。言い換えると、上下の取付片９４間に後方へ凹没して底面が主片９２により形成される溝を有した形状に形成されている。各取付片９４には２個ずつの取付孔９５が形成され、取付孔９５を通して取付ねじ９１が挿入される。また、取付孔９４の周部は後方に凹没しており、取付ねじ９１を取付孔９５に導入しやすくしてある。取付ねじ９１をねじ受け孔８４に螺合させて締め付けたときには、取付片９４はフレーム８０ａ，８０ｂの脚片に当接する。
【００２４】
フレーム８０ａ，８０ｂには６個ずつのねじ受け孔８４が形成され、合計１２個のねじ受け孔８４が設けられているのに対して取付板９０は４個ずつ合計８個の取付孔９５であって、ねじ受け孔８４のほうが多く設けられている。また、ねじ受け孔８４のピッチは１枚の取付板９０における取付孔９５のピッチの２分の１に設定されている（隣接する取付板９０における取付孔９５の中心間の距離はねじ受け孔８４のピッチに等しくなる）。したがって、取付板９０を１枚だけ用いるときにはねじ受け孔８４のピッチで取付板９０の取付位置を変えることができるようになっている。
【００２５】
ところで、取付板９０の主片９２には上下方向の中央部において左右３個の貫孔９６ａが形成され、各貫孔９６ａの上下両側には各一対の貫孔９６ｂが形成されている。さらに、主片９２において上下の段差部９３に隣接する部位であって左右方奥において貫孔９６ａの間に対応する部位には引掛孔９７が形成されている。貫孔９６ａ，９６ｂおよび引掛孔９７の機能については後述する。取付片９４には段差部９３に近い部位であって左右方向において引掛孔９７に対応する部位に保持孔９８ａが貫設され、各保持孔９８ａに対して取付片９４の先端寄りに各一対の保持孔９８ｂが貫設されている。さらに、取付片９４には先端縁に沿って並ぶ６個の保持ばね片９９が前面側に打ち出された形で形成されている。保持ばね片９９は両側縁が取付片９４から切り離されるとともに両端が取付片９４に連結され、取付片９４に対して前方に膨らむ弧状に突設されている。保持ばね片９９の機能についても後述する。
【００２６】
各取付板９０の主片９２の前面側には合成樹脂成形品であるバー支持部材１００がそれぞれ載置される。ただし、バー支持部材１００の左右幅は主片９２の左右幅よりも大きく形成され、バー支持部材１００の一部は主片９２から突出する。また、バー支持部材１００の上下方向の幅寸法は取付板９０の主片９２の上下方向の幅寸法よりやや小さく、取付板９０の上下の段差部９３の間にバー支持部材１００が挿入されるようになっている。バー支持部材１００は上下方向の中央部に前方に突出した左右方向の隔壁１０１を有し、隔壁１０１における左右方向の一端部であって取付板９０の主片９２からの突出部位には前方に突出する支持ポスト１０２が形成されている。本実施形態においては２個の取付板９０を用いており、バー支持部材１００も２個設けられるから、バー支持部材１００を２個並設したときに隔壁１０１の両端に支持ポスト１０２が設けられるように取付板９０を配置する。この場合、２個のバー支持部材１００は同形状のものを用いることができる。支持ポスト１０２の前面（図６の上面）には凹所１０２ａが形成され、凹所１０２ａの底部には図示しないナットが保持されている。各バー支持部材１００の隔壁１０１には分離壁１０１ａが一体に形成され、隔壁１０１が６区画に分割されている。
【００２７】
バー支持部材１００には上下に載置片１０４が延設されており、各載置片１０４の左右方向において支持ポスト１０２を設けた一端部には後方に凹没した凹所１０４ａが２個形成され、各凹所１０４ａの底部には図示しないナットが保持されている。したがって、バー支持部材１００を２個並設した状態では載置片１０４の左右両端部に凹所１０４ａが形成されることになる。
【００２８】
各載置片１０４の上下の中間部には左右方向に並ぶ６本の係止部１０５が前方に立設されている。バー支持部材１００の上下両縁、つまり各載置片１０４の一端部にはそれぞれ載置片１０４から前方に立設された立設壁１０６が形成される。立設壁１０６の前後方向の寸法は取付板９０に設けた段差部９３の段差にほぼ等しく設定されている。係止部１０５は左右方向においては分離壁１０１ａにより分割された各区間の中間部に位置する。さらに、１つおきで３個の分離壁１０１ａには対向する立設壁１０６に向かって突出する引掛爪１０１ｂが形成される。また、各係止部１０５の先端部には隔壁１０１に向かって突出するそれぞれ
１０５ａ（図１参照）が形成され、立設壁１０６には隔壁１０１に向かって突出する引掛爪１０６ａが２箇所に形成されている。
【００２９】
ところで、バー支持部材１００は合成樹脂成形品であるから、上述した引掛爪１０１ｂ，１０５ａ，１０６ａを形成するには、載置片１０４に挿通されるスライドコアを用いてアンダカット部を形成する必要がある。そこで、載置片１０４いはスライドコアが通過するための透孔１０１ｃ，１０５ｂ，１０６ｂが必然的に形成される。さらに、載置片１０４の後面には各透孔１０１ｃ，１０５ｂ，１０６ｂの周囲においてボス部１０７ａ〜１０７ｃ（図１参照）が後方に突設される。各透孔１０５ｂ，１０６ｂに対応するボス部１０７ｂ，１０７ｃは各透孔１０５ｂ，１０６ｂごとに個別に形成され、透孔１０１ｃに対応するボス部１０７ａは上下２個の透孔１０１ｃに跨るように形成される。
【００３０】
立設壁１０６において引掛爪１０６ａを設けた部位の反対面には係合脚１０６ｃが設けられ、係合脚１０６ｃは先端部がバー支持部材１００の後面側に突出するとともに先端部に引掛フック１０６ｄが形成されている。係合脚１０６ｃはＬ字状に形成され、引掛フック１０６ｄは立設壁１０６から離れる向きに突出する。
【００３１】
しかして、バー支持部材１００を取付板９０に取り付けるに際しては、係合脚１０６ｃを引掛孔９７に挿入し、引掛孔９７の周部に引掛フック１０６ｄを係合させれば、図１のようにバー支持部材１００が取付板９０に保持される。このとき、ボス部１０７ａ〜１０７ｃは取付板９０に設けた貫孔９６ａ，９６ｂおよび引掛孔９７に挿入される。その結果、透孔１０１ｃ，１０５ｂ，１０６ｂを通る沿面距離をボス部１０７ａ〜１０７ｃを設けない場合に比べて大きくとることができる。後述するように、載置片１０４には導電バー１１０ｂ，１１０ｃが載置されるから、ボス部１０７ａ〜１０７ｃを設けていることによって、導電バー１１０ｂ，１１０ｃと取付板９０との沿面距離を大きくとることができる。
【００３２】
バー支持部材１００は中性極の導電バー１１０ａと２本の電圧極の導電バー１１０ｂ，１１０ｃとの３本の導電バー１１０ａ〜１１０ｃを同時に保持でき、電圧極の導電バー１１０ｂ，１１０ｃについては幅の異なる２種類の導電バー１１０ｂ（１１０ｄ），１１０ｃ（１１０ｅ）を選択的に使用することが可能となるように構成されている。つまり、電流容量に応じて幅の異なる導電バー１１０ｂ，１１０ｃを選択するから、電流容量に応じて厚みの異なる導電バー１１０ｂ，１１０ｃを選択する場合に比較すると、電流容量が大きい場合に用いる導電バー１１０ｂ，１１０ｃの表面積をより大きくすることができ、放熱効果を向上させることができる。
【００３３】
以下では、図１、図７、図８においては広幅の導電バー１１０ｂ，１１０ｃを用いた例を示し、図９、図１０、図１１においては狭幅の導電バー１１０ｄ，１１０ｅを用いた例を示す。ただし、広幅の導電バー１１０ｂ，１１０ｃと狭幅の導電バー１１０ｄ，１１０ｅとは、載置片１０４に対する取付位置が異なるだけであり、基本的な構成は同様であるから、まず広幅の導電バー１１０ｂ，１１０ｃを取り付ける場合について説明し、その後、狭幅の導電バー１１０ｄ，１１０ｅを取り付ける場合について広幅の導電バー１１０ｂ，１１０ｃとの相違点を中心として説明する。
【００３４】
中性極の導電バー１１０ａは２つの支持ポスト１０２の間に架設される。導電バー１１０ａには長手方向において等ピッチで挿通孔１１１が形成されている。導電バー１１０ａの両端部には端子片１１２が延設され、端子片１１２には端子ねじ１１３が挿入される端子孔１１４が形成されている。端子ねじ１１３は凹所１０２ａの底部に設けたナットに螺合し、これによって導電バー１１０ａが支持ポスト１０２に固定される。
【００３５】
一方、電圧極の２本の導電バー１１０ｂ，１１０ｃはそれぞれ載置片１０４の前面に重ねて取り付けられる。導電バー１１０ｂ，１１０ｃには長手方向において等ピッチで挿通孔１１５が形成され、導電バー１１０ｂ，１１０ｃの長手方向の両端部にはそれぞれ２個ずつの端子孔１１６が形成される。端子孔１１６には端子ねじ１１７が挿入され、端子ねじ１１７は載置片１０４に設けた凹所１０４ａの底部に保持されているナットに螺合する。さらに、導電バー１１０ｂ，１０ｃの短手方向の一側縁には前方に向かって接続片１１８が突設される。接続片１１８には２本の挿入端子片１１８ａ，１１８ｂが延設され、一方の端子挿入片１１８ａは接続片１１８から導電バー１１０ｂ，１１０ｃに対向するように接続片１１８に対して直交方向に延長され、他方の端子挿入片１１８ｂは導電バー１１０ｂ，１１０ｃから離れるように接続片１１８に対して直交方向に延長される。また、導電バー１１０ｂ，１１０ｃから端子挿入片１１８ｂまでの距離は端子挿入片１１８ａまでの距離よりも大きくなっている。したがって、端子挿入片１１８ａ，１１８ｂは前後に位置することになる。さらに、導電バー１１０ｂ，１１０ｃを載置片１０４に取り付けた状態では、互いに他方の導電バー１１０ｂ，１１０ｃに設けた端子挿入片１１８ａ，１１８ｂが前後に位置し、かつ両端子挿入片１１８ａ，１１８ｂの先端縁の位置が上下左右において揃うように位置する。このような配置によって、前後に並ぶ２つの端子挿入片１１８ａ，１１８ｂは互いに他の導電バー１１０ｂ，１１０ｃに接続されていることになる。ここで、支持ポスト１０２に取り付けられた中性極の導電バー１１０ａの短手方向の端縁も上下方向における位置が両端子挿入片１１８ａ，１１８ｂの先端縁と一致する。なお、異なる導電バー１１０ｂ，１１０ｃに設けた接続片１１８は隔壁１０１によって絶縁される。
【００３６】
ところで、導電バー１１０ｂ，１１０ｃに設けた挿通孔１１５には載置片１０４に設けた係止部１０５が挿通される。また、導電バー１１０ｂ，１１０ｃの長手方向の両端部には支持ポスト１０２の角部に合致する形状の切欠部１１９が形成されている。したがって、挿通孔１１５に係止部１０５が挿入され、かつ切欠部１１９と支持ポスト１０２とが係合することによって、導電バー１１０ｂ，１１０ｃはバー支持部材１００に対して左右方向に位置決めされることになる。また、導電バー１１０ｂ，１１０ｃの短手方向の一端部は分離壁１０１ａに設けた引掛爪１０１ｂと載置片１０４との間で保持され、他端部は立設壁１０６に設けた引掛爪１０６ａと載置片１０４との間で保持される。したがって、導電バー１１０ｂ，１１０ｃをバー支持部材１００に装着するには、引掛爪１０６ａと載置片１０４との間に導電バー１１０ｂ，１１０ｃの一端部を挿入し、挿通孔１１５を係止部１０５に位置合わせした状態で、導電バー１１０ｂ，１１０ｃを載置片１０４に押しつければ、立設片１０６が撓んで導電バー１１０ｂ，１１０ｃの他端部が引掛爪１０１ｂを乗り越え、引掛爪１０１ｂと載置片１０４との間で導電バー１１０ｂ，１１０ｃの他端部が保持される。そこで、引掛爪１０１ｂは後方に向かって分離壁１０１ａからの突出寸法が大きくなるように形成され、導電バー１１０ｂ，１１０ｃを取り付ける際に当接する部位は傾斜面になっている。このように、分離壁１０１ａは導電バー１１０ｂ，１１０ｃの一端を保持する壁部として機能する。
【００３７】
上述のようにしてバー支持部材１００に取り付けられた導電バー１１０ａ〜１１０ｃは主幹回路遮断器３１の負荷側の端子と接続部材３６を介して電気的に接続される。接続部材３６は樹脂成形品の保持体３６ａにより電路となる導電板３６ｂを保持したものであり、導電板３６ｂを介して各導電バー１１０ａ〜１１０ｃが主幹回路遮断器３１に電気的に接続される。導電板３６ｂと導電バー１１０ａ〜１１０ｃとは端子ねじ１１３，１１７を用いて外れないように接続される。
【００３８】
導電バー１１０ａ〜１１０ｃは分岐回路遮断器３２を接続するために設けられており、本実施形態では上下２段に１２個ずつの分岐回路遮断器３２を配列している。分岐回路遮断器３２を取り付けるために、本実施形態では取付板９０の取付片９４と導電バー１１０ｂ，１１０ｃとに跨る形で絶縁材料である合成樹脂成形品の取付ベース１２０を設けている。取付片９４に対応する部位では取付ベース１２０の後面は取付片９４に当接し、導電バー１１０ｂ，１１０ｃに対応する部位では導電バー１１０ｂ，１１０ｃの厚み方向（前後方向）において載置片１０４の反対側で導電バー１１０ｂ，１１０ｃの一部と係止部１０５とを覆っている。取付ベース１２０には導電バー１１０ｂ，１１０ｃの前面に当接する脚片１２１が形成され、脚片１２１は導電バー１１０ｂ，１１０ｃからの係止部１０５の突出寸法以上の長さに形成されている。したがって、取付ベース１２０と導電バー１１０ｂ，１１０ｃとの間には隙間（図１参照）が形成され、この隙間によって導電バー１１０ｂ，１１０ｃからの熱を放熱できるようになっている。
【００３９】
取付ベース１２０において取付片９４に対応する部位には、保持突起１２２ａ，１２２ｂが突設される。保持突起１２２ａの先端部にはバー支持部材１００に近付く向きに突出する保持フック１２３ａが設けられ、保持突起１２２ｂの先端部にはバー支持部材１００から離れる向きに突出する保持フック１２３ｂが設けられる。各保持突起１２２ａ，１２２ｂは取付片９４に設けた保持孔９８ａ，９８ｂにそれぞれ挿入され、保持フック１２３ａ、１２３ｂが保持孔９８ａ，９８ｂの周縁に引掛係止されることによって、取付ベース１２０が取付板９０に固定される。つまり、保持突起１２２ａ，１２２ｂの保持フック１２３ａ，１２３ｂと保持孔９８ａ，９８ｂとの一方が引掛部として機能し他方が被引掛部として機能し、取付ベース１２０を取付板９０に対して押しつけるだけで簡単に取り付けることができるようになっている。
【００４０】
取付ベース１２０において取付片９４に対応する部位の一端部前面には、先端部が取付ベース１２０の端縁よりも外側に突出する逆Ｌ字状の遮断器保持片１２４が６個形成される。また、取付ベース１２０における他端部前面には左右方向において各遮断器保持片１２４にそれぞれ対応する部位で遮断器支持片１２５が形成される。したがって、６個の遮断器支持片１２５が形成される。
【００４１】
１枚の取付ベース１２０の前面側には分岐回路遮断器３２を６個まで取着することができる。分岐回路遮断器３２は自立回路遮断器３３と同様の形状であって、電源側にはスリット状の３つの端子部３７ａ〜３７ｃが設けられる。端子部３７ａ〜３７ｃのうち端子部３７ａには中性極の導電バー１１０ａが挿入され、端子部３７ｂ，３７ｃには電源極の導電バー１１０ｂ，１１０ｃの挿入端子片１１８ａ，１１８ｂが挿入される。ただし、各分岐回路遮断器３２はそれぞれ各導電バー１１０ａ，１１０ｂ，１１０ｃのうちの２本にのみ電気的に接続され、他の１本はダミーとして扱われる。たとえば、図１に示す例では端子部３７ａに導電バー１１０ａが接続され、端子部３７ｃに挿入端子片１１８ａが接続されるが、挿入端子片１１８ｂは端子部３７ｂに挿入されるだけで電気的な接続は行われない。
【００４２】
自立回路遮断器３３の器体の一方の側面には取付ベース１２０に設けた遮断器保持片１２４に係合する保持溝３８が開口する。さらに、分岐回路遮断器３２の前面であって隔壁１０１寄りの端部には２個の結束用突部３９が突設されている。
【００４３】
しかして、分岐回路遮断器３２を取付ベース１２０に取り付けるに際しては、端子部３７ａに導電バー１１０ａを挿入し、端子部３７ｂ，３７ｃには挿入端子片１１８ａ，１１８ｂを挿入せずに分岐回路遮断器３２を挿入端子片１１８ａ，１１８ｂの幅方向にずらしている状態から、分岐回路遮断器３２の保持溝３８に遮断器保持片１２４が挿入されるとともに挿入端子片１１８ａ，１１８ｂが端子部３７ｂ，３７ｃに挿入されるように分岐回路遮断器３２をスライドさせると、保持ばね片９９が分岐回路遮断器３２の後面に当接して保持ばね片９９と遮断器保持片１２４との間で保持孔３８の周部が挟持されるようになる。このとき、遮断器支持片１２５が分岐回路遮断器３２の側面に当接して分岐回路遮断器３２の位置ずれが防止される。
【００４４】
このようにして、分岐回路遮断器３２が取付ベース１２０に固定された状態では、図１に示すように、上下の分岐回路遮断器３２の間に分離壁１０１ａの上下幅程度の隙間が形成される。この隙間を覆う形で分岐回路遮断器３２の前面には結束部材１３０が取り付けられる。結束部材１３０は４個の分岐回路遮断器３２の幅寸法に相当する長さを有し、上下の分岐回路遮断器３２の間に形成される隙間に挿入される挿入脚１３１を備える。また、結束部材１３０は導電バー１１０ａの挿通孔１１１に圧入される圧入突起１３２を備え、圧入突起１３２が挿通孔１１１に圧入されることによって結束部材１３０が導電バー１１０ａに固定される。結束部材１３０には上下の各分岐回路遮断器３２の前面に重なる部位まで延長された結束片１３３が形成され、結束片１３３の先端部に設けた切欠溝１３４が分岐回路遮断器３２の前面に突設された結束用突部３９に係合することによって、上下の分岐回路遮断器３２が結束片１３３に連結されるようにしてある。この結束部材１３０を設けていることにより、各分岐回路遮断器３２が結束部材１３０を介して連結されることになる。要旨ではないから詳述しないが、結束部材１３０の結束片１３３は各分岐回路遮断器３２ごとに切欠溝１３４と結束用突部３９との係合状態を解除できるように構成されている。
【００４５】
上述したように、バー支持部材１００は狭幅の導電バー１１０ｄ，１１０ｅも取着可能になっている。狭幅の導電バー１１０ｄ，１１０ｅを用いる場合には、図９、図１０、図１１に示す形態になる。この導電バー１１０ｄ，１１０ｅは分離壁１０１ａに設けた引掛爪１０１ｂと、係止部１０５に設けた引掛爪１０５ａとの間で保持される。また、広幅の導電バー１１０ｂ，１１０ｃと同様に長手方向の両端部には支持ポスト１０２の角部に係合する切欠部１１９が形成され、これによって導電バー１１０ｄ，１１０ｅの左右方向への移動が規制される。他の構成については広幅の導電バー１１０ｄ，１１０ｅと同様の形状を有している。
【００４６】
上述した住宅用分電盤を組み立てる際には、フレーム８０ａ，８０ｂに取付板９０を取り付けておき、バー支持部材１００を取付板９０に結合した後、導電バー１１０ａ〜１１０ｃをバー支持部材１００に取り付け、さらに取付板９０に取付ベース１２０を結合し、次に分岐回路遮断器３２を取り付けて、最後に結束部材１３０を取り付ける。また、主幹回路遮断器３１については自立回路遮断器３３を載せた補助取付板６０とともに主幹用取付板５０に取り付け、主幹用取付板５０をフレーム８０ａ，８０ｂと連結する。また、主幹回路遮断器３１と導電バー１１０ａ〜１１０ｃとを接続部材３６を介して電気的に接続しておく。このような形で架台４０に各種内器が取り付けられるから、この架台４０をボディ１０に取り付けるのである。その後はボディ１０の前面側にカバー２０を結合すればよい。
【００４７】
【発明の効果】
請求項１の発明は、箱体内に取着される取付板と、絶縁材料で形成され取付板に取着されるバー支持部材と、バー支持部材に設けた載置片に重ねて配置される導電バーと、導電バーの延長方向に並設され導電バーに電気的に接続される複数個の開閉器とを備え、電流容量に応じて狭幅の第１導電バーと広幅の第２導電バーとを導電バーとして載置片に選択的に取着可能とした住宅用分電盤であって、載置片において導電バーの短手方向の一端縁に形成された壁部との間に第１導電バーを保持するように載置片の幅方向の中間部に立設された係止部と、壁部との間に第２導電バーを保持するように載置片の幅方向の他端縁に立設された立設壁とを備え、係止部には第１導電バーの幅方向の一端部を載置片との間で保持する第１の引掛爪を設け、立設壁には第２導電バーの幅方向の一端部を載置片との間で保持する第２の引掛爪を設けたものであり、載置片の幅方向の中間部に係止部を設けるとともに幅方向の一端部に立設壁を設け、載置片の幅方向の他端部に設けた壁部との間に配置される導電バーを載置片との間で保持する引掛爪を係止部と立設壁とにそれぞれ設けているので、壁部と係止部との間で保持される導電バーと、壁部と立設壁との間で保持される導電バーとの２種類の幅の導電バーを選択的に用いることができる。その結果、電流容量に応じて導電バーの幅を選択することができ、電流容量の変化に応じて導電バーの表面積を大きく変化させることが可能になり、電流容量が大きいときには十分に大きい表面積を確保して放熱効率を高め、導電バーの温度上昇を抑制することができるという効果がある。
【００４８】
請求項２の発明は、請求項１の発明は、壁部には第１導電バーまたは第２導電バーの幅方向の他端部を載置片との間で保持する第３の引掛爪を設けたものであり、各導電バーの幅方向の両端部をともに載置片と引掛爪との間で保持するから、導電バーの取付強度が大きくなるという効果がある。
【００４９】
請求項３の発明は、請求項１または請求項２の発明において、バー支持部材が合成樹脂成形品であって、引掛爪のアンダカット部が載置片に形成される透孔を通して成形され、載置片における透孔の周囲であって導電バーが重なる面に対する反対面側には取付板に挿入されるボス部が突設されているものであり、引掛爪のアンダカット部を形成する際に用いるスライドコアにより必然的に形成される透孔の周囲に対応して、載置片において導電バーが重なる面とは反対面側にボス部を突設し、このボス部を取付板に挿入しているから、取付板と導電バーとの間で透孔を通る部位の沿面距離をボス部の存在によって大きくすることができ、一般に金属板を用いて形成されている取付板と導電バーとの絶縁性をボス部を設けていない場合よりも向上させることができる。
【００５０】
請求項４の発明は、請求項１の発明において、導電バーの厚み方向において載置片の反対側において導電バーとの間に隙間を形成するように配置され導電バーの少なくとも一部と係止部とを覆うとともに開閉器が載置される取付ベースを設け、取付ベースに引掛部を設けるとともに引掛部が引掛係止されることにより取付ベースを固定する被引掛部を取付板に設けているものであり、開閉器を取り付けるために用いる取付ベースと導電バーとの間に隙間を形成しているから、導電バーの表面に空気が流通して放熱性を確保することができるという効果がある。また、取付ベースにより係止部が覆われるから、分岐回路遮断器を取り付ける際に係止部が邪魔にならず、分岐回路遮断器の取付作業が容易になる。さらに、取付ベースが引掛部と被引掛部との引掛係止によって取付板に固定されるから、取付ベースを取付板に固定する作業が容易である。
【図面の簡単な説明】
【図１】本発明の実施の形態において広幅の導電バーを用いた場合の要部断面図である。
【図２】同上の外観を示す分解斜視図である。
【図３】同上の外観を示す一部破断した正面図である。
【図４】同上のカバーを外した正面図である。
【図５】同上の要部分解斜視図である。
【図６】同上の要部分解斜視図である。
【図７】同上において広幅の導電バーを用いた場合の要部分解斜視図である。
【図８】同上において広幅の導電バーを用いた場合の要部分解斜視図である。
【図９】同上において狭幅の導電バーを用いた場合の要部分解斜視図である。
【図１０】同上において狭幅の導電バーを用いた場合の要部分解斜視図である。
【図１１】同上において狭幅の導電バーを用いた場合の要部断面図である。
【図１２】従来例を示す要部分解斜視図である。
【符号の説明】
１  箱体
３２  分岐回路遮断器
９０  取付板
９８ａ，９８ｂ  保持孔
１００  バー支持部材
１０１ａ  分離壁
１０１ｂ  引掛爪
１０１ｃ  透孔
１０４  載置片
１０５  係止部
１０５ａ  引掛爪
１０５ｂ  透孔
１０６  立設壁
１０６ａ  引掛爪
１０６ｂ  透孔
１０７ａ〜１０７ｃ  ボス部
１１０ｂ，１１０ｃ  導電バー
１１０ｄ，１１０ｅ  導電バー
１２０  取付ベース
１２２ａ，１２２ｂ  保持突起
１２３ａ，１２３ｂ  保持フック
【図１】
0003555526.tif 000002
【図２】
0003555526.tif 000003
【図３】
0003555526.tif 000004
【図４】
0003555526.tif 000005
【図５】
0003555526.tif 000006
【図６】
0003555526.tif 000007
【図７】
0003555526.tif 000008
【図８】
0003555526.tif 000009
【図９】
0003555526.tif 000010
【図１０】
0003555526.tif 000011
【図１１】
0003555526.tif 000012
【図１２】
0003555526.tif 000013